(57)【要約】      （修正有）【課題】本棚、家具やキャビネット等の各種什器の転倒を防止する、什器の上面と天井との空隙に高さ調整可能な箱状容器であって、組み立てや取り扱いの容易な転倒防止具を提供する。【解決手段】転倒防止具１０は、一方面１４が家具上面に載置される本体部１２と、一方面が開放した開口面２４であり、他方面２６が天井面に相対する、本体部１２を覆うように配置される覆い部２２と、本体部１２の一方面１４と覆い部２２の他方面２６との間を所定距離離間させる位置決め部２７と、を概略具備している。【選択図】図３
2013085936.tif 000002
【特許請求の範囲】
【請求項１】
一方面が什器上面に載置される本体部と、
一方面が開放し、他方面が天井面に相対する、前記本体部を覆うように配置される覆い部と、
前記本体部の一方面と前記覆い部の他方面との間を所定距離離間させる位置決め部と、
を具備することを特徴とする転倒防止具。
【請求項２】
前記位置決め部は、前記覆い部の内部側面に取り付けられる内側位置決め板部であり、前記覆い部の一方面の側となる前記内側位置決め板部の下側端面が前記本体部の他方面に当接されることを特徴とする請求項１に記載の転倒防止具。
【請求項３】
前記内側位置決め板部は、補助板部を備えることを特徴とする請求項２に記載の転倒防止具。
【請求項４】
前記位置決め部は、前記本体部の外部側面に取り付けられる外側位置決め板部であり、前記本体部の他方の面の側となる前記外側位置決め板部の上側端面が前記覆い部の開放端部に当接されることを特徴とする請求項１に記載の転倒防止具。
【請求項５】
前記本体部の一方面と、前記覆い部の他方面の少なくとも一方に滑り止め部を備えることを特徴とする請求項１乃至請求項４のいずれか１項に記載の転倒防止具。
【請求項６】
前記覆い部の側面外側に意匠を施したことを特徴とする請求項１乃至請求項５のいずれか１項に記載の転倒防止具。
【発明の詳細な説明】
【技術分野】
【０００１】  本発明は、本棚、家具やキャビネット等の各種什器が地震等による振動で転倒することを防止する転倒防止具に関する。
【背景技術】
【０００２】  従来、特許文献１乃至３に示すとおり、本棚、家具やキャビネット等の各種什器の転倒を防止するために、什器の上面と天井との空隙に高さ調整可能な箱状容器を収容する転倒防止具が提案されている。【０００３】  例えば、特許文献１に開示される家具転倒防止器具は、直方体状に形成された外箱と、その外箱の内部に嵌入される中箱と、外箱の天井面の内側に固着され、中箱の天井面と当接した状態で高さ方向に屈曲可能な高さ調整体と、高さ調整体を所定の屈曲状態で保持するための保持手段とで構成されている。【０００４】  また、特許文献２に開示される転倒防止用具は、外覆体と、外覆体の内側に挿脱自在に挿入される内覆体と、外覆体と内覆体とを繋止する繋止手段としてのテープ状部材と、外覆体の長さと前記内覆体の露出部の長さの和を調整する長さ調整手段とで構成され、該テープ状部材の一端部を内覆体と重なる外覆体の端部付近の外壁面に固着し、中央部付近を外覆体の内壁面と内覆体の外壁面で挟み、他端部を外覆体と重なる内覆体の端部付近の内壁面に固着するようになっている。【０００５】  また、特許文献３に開示される家具等の転倒防止キャビネットおよび支持具は、升状の側板の一面を切り抜いた下箱と、これに上から被せた升状の側板の一面を切り抜いた上箱を高さ方向に上下に調整し、家具等と天井との隙間に装着し、下箱は家具等に固着し、また、上箱は天井に密着させた状態で下箱側板と上箱側板の重なり部位を連結ネジにて固着、または保持柱にて固定する構成となっている。【０００６】  これら特許文献１乃至３に示される転倒防止具は、何れも、什器上面に箱状容器の下面が面し、天井面に箱状容器の上面が面することで、什器の上面と天井とが面で支えられる構成となっており、地震による各種什器の転倒防止に効果がある。
【先行技術文献】
【特許文献】
【０００７】
【特許文献１】  特開２００７−１４３６４１号公報
【特許文献２】  特開２００７−０９００１８号公報
【特許文献３】  実用新案登録第３０２８９３０号公報
【発明の概要】
【発明が解決しようとする課題】
【０００８】  しかしながら、これらの転倒防止具は、構造が複雑で組み立てが煩雑（特許文献１乃至３）、または、上箱と下箱の側板の一面を切り抜いた構成による強度不足の可能性がある（特許文献３）等の課題があった。
【課題を解決するための手段】
【０００９】  この発明の目的は、上述した事情に鑑みなされたもので、本棚、家具やキャビネット等の各種什器の転倒を防止する、什器の上面と天井との空隙に高さ調整可能な箱状容器を収容する転倒防止具であって、組み立てや取り扱いの容易な転倒防止具を提供することである。【００１０】  上述した課題を解決し、目的を達成するため、この発明に係わる転倒防止具は、請求項１の記載によれば、一方面が什器上面に載置される本体部と、一方面が開放し、他方面が天井面に相対する、前記本体部を覆うように配置される覆い部と、前記本体部の一方面と前記覆い部の他方面との間を所定距離離間させる位置決め部と、を具備することを特徴とする。【００１１】  また、この発明に係わる転倒防止具は、請求項２の記載によれば、前記位置決め部は、前記覆い部の内部側面に取り付けられる内側位置決め板部であり、前記覆い部の一方面の側となる前記内側位置決め板部の下側端面が前記本体部の他方面に当接されることを特徴とする。【００１２】  また、この発明に係わる転倒防止具は、請求項３の記載によれば、前記内側位置決め板部は、補助板部を備えることを特徴とする。【００１３】  また、この発明に係わる転倒防止具は、請求項４の記載によれば、前記位置決め部は、前記本体部の外部側面に取り付けられる外側位置決め板部であり、前記本体部の他方の面の側となる前記外側位置決め板部の上側端面が前記覆い部の開放端部に当接されることを特徴とする。【００１４】  また、この発明に係わる転倒防止具は、請求項５の記載によれば、前記本体部の一方面と、前記覆い部の他方面の少なくとも一方に滑り止め部を備えることを特徴とする。【００１５】  また、この発明に係わる転倒防止具は、請求項６の記載によれば、前記覆い部の側面外側に意匠を施したことを特徴とする。
【発明の効果】
【００１６】  この発明によれば、什器上面に箱状容器の下面が面し、天井面に箱状容器の上面が面することで、什器の上面と天井とを面で支え、確実かつ強固に各種什器の転倒防止する転倒防止具を提供することが可能となる。【００１７】  また、この発明によれば、組み立て及び取り扱いが容易な転倒防止具を提供することが可能となる。
【図面の簡単な説明】
【００１８】
【図１】  本発明の転倒防止具の使用例を示す斜視図
【図２】  本発明の転倒防止具の使用例を示す側面図
【図３】  本発明の転倒防止具の構成を示す一部透視斜視図
【図４】  転倒防止具の覆い部の一部を示す図
【図５】  本発明の転倒防止具の第２の実施例の構成を示す斜視図
【発明を実施するための形態】
【実施例】
【００１９】  ＜第１の実施例＞
以下に図面を用いて本発明の第１の実施例を説明する。図１は、本発明の転倒防止具の使用例を示す斜視図である。図２は、転倒防止具の使用例を示す側面図である。図３は、転倒防止具の構成を示す一部透視斜視図である。図４は、転倒防止具の覆い部の一部を示す図である。【００２０】  本発明の転倒防止具１０は、家庭の食器棚、本棚、洋服ダンス等の家具や事務所のキャビネット等の各種什器に用いられる。なお、図１においては、その一例として、家具１００を示している。【００２１】  図１及び図２は、転倒防止具１０を家具１００に設置した状態を示す図である。家具１００は、背面が壁面１２０に当接するように床面１２２に載置されている。また、家具１００の上面１０２と天井面１２４との間は空隙となっている。【００２２】  転倒防止具１０は、図３に示すとおり、一方面１４が家具上面１０２に載置される本体部１２と、一方面が開放した開口面２４であり、他方面２６が天井面１２４に相対する、本体部１２を覆うように配置される覆い部２２と、本体部１２の一方面１４と覆い部２２の他方面２６との間を所定距離離間させる位置決め部２７と、を概略具備している。【００２３】  本体部１２は、６面を有する直方体または立方体で、内部に非常用食料品や懐中電灯、簡易トイレ等の防災グッズが収納可能となっている。また、本体部１２の材質は、例えば、段ボール等の紙が用いられ、その大きさは、例えばみかん箱等の規格サイズの箱が用いられており、非常に安価かつ入手しやすくなっている。【００２４】  また、この本体部１２は、上記の通り、６面を有することで頑丈な作りとなっており、本体部１２の一方面１４と一方面に対面する他方面１６との間の耐荷重が非常に大きい。【００２５】  覆い部２２は、一方面が開放した開口面２４を有し、該開口面２４を本体部１２の他方面１６の側から覆い被せて本体部１２を覆うことが可能な形状（即ち、本体部１２と同一の大きさの直方体または立方体）となっている。【００２６】  また、覆い部２２の他方面２６は天井面１２４に相対し、後述する位置決め部により、本体部１２の一方面１４と覆い部２２の他方面２６との間が所定距離離間可能となっている。【００２７】  なお、覆い部２２の開口面２４と他方面２６とを接続する４面の側面２５の内寸は、本体部１２の一方面１４と他方面１６とを接続する４面の側面１５の外寸と概略同じとなっている。【００２８】  また、覆い部２２の材質は、例えば、段ボール等の紙が用いられており、安価となっていると共に、側面２５は４面を有するので、覆い部２２の開口面２４と他方面２６との間の耐荷重も非常に大きい。【００２９】  この覆い部２２の側面２５の内側には、図３において波線で示す位置決め部２７が設けられている。この位置決め部２７は、覆い部２２の４面の側面２５の内側に各々取り付けられた４個の内部位置決め板部２８で構成されている。この内部位置決め板部２８は、段ボール等を材質とする板状部材であり、覆い部２２の側面２５の内側に取り付けられた状態で、覆い部２２の開口面２４の側となる下側端面２９が本体部１２の他方面１６に当接される。【００３０】  この内部位置決め板部２８の覆い部２２の側面２５の内側への取り付けは��例えば両面接着テープや接着剤で貼り付けることで行われる。なお、内部位置決め板部２８や覆い部２２の側面２５の内側に取り付け部を設けても良い。また、内部位置決め板部２８の覆い部２２の側面２５の内側への取り付けにテープ状の両面接着テープを使用する場合、使用する両面接着テープの面積が同じであるなら、テープの長さ方向が覆い部２２の開口面２４に平行な方向に貼り付けるより、開口面２４に垂直な方向に貼り付けるほうが内部位置決め板部２８の貼り付け強度が高くなる。これは、両面接着テープの貼り付け強度が剪断方向に対する距離が大きいほど強くなることに着目し、地震による家具１００の揺動で負荷のかかる上下方向（開口面２４に垂直な方向）に対してテープの距離を大きくできるからである。【００３１】  なお、図４は、覆い部２２を開口面２４の側から見た図である。覆い部２２が段ボール等で作製されている場合、図４に示すとおり、側面２５の一部に段ボールを箱形にするための折り曲げ部２５ａを有している。この折り曲げ部２５ａの部分に、そのまま内部位置決め板部２８を取り付けると、下側端面２９の本体部１２の他方面１６への当接の面積が小さくなってしまい、耐荷重が小さくなる可能性がある。【００３２】  このため、図４に示すとおり、内部位置決め板部２８の側面２５に取り付ける側とは反対の面に、さらに補助板部２８ａを取り付け、下側端面２９の本体部１２の他方面１６への当接の面積が小さくならないようにし、耐荷重が小さくならないようにしている。【００３３】  また、内部位置決め板部２８の覆い部２２の側面２５の内側への取り付け位置は、本体部１２の一方面１４と他方面１６との間の距離と、覆い部２２の他方面２６と内部位置決め板部２８の下側端面２９との間の距離との和が、家具１００の上面１０２と天井面１２４との間の空隙の距離と概略同じとなる位置に取り付けられる。【００３４】  なお、この内部位置決め板部２８の覆い部２２の側面２５の内側への取り付け位置決定を簡便にするために、別途、家具１００の上面１０２と天井面１２４との間の空隙の距離を測るための簡易メジャーを準備し、該簡易メジャーの目盛りに合わせて、覆い部２２の側面２５の内側へ開口面２４と垂直な方向に目盛りを設けても良い。【００３５】  以上のような構成を有する本発明の転倒防止具１０の使用方法について、以下に説明する。【００３６】  最初に、本体部１２と覆い部２２を組み立てる。次に、家具１００の上面１０２と天井面１２４との間の空隙の距離を測る。【００３７】  次に、本体部１２の一方面１４と他方面１６との間の距離と、覆い部２２の他方面２６と内部位置決め板部２８の下側端面２９との間の距離との和（距離Ａとする）が、家具１００の上面１０２と天井面１２４との間の空隙の距離（距離Ｂとする）と概略同じとなるように、内部位置決め板部２８を覆い部２２の側面２５の内側へ取り付ける。なお、この際、距離Ａが距離Ｂより大きいと、家具１００の上面１０２と天井面１２４との間の空隙に転倒防止具１０が収容できなくなるので注意する。【００３８】  この後、覆い部２２を開口部２４の側から本体部１２へ覆い被せ、転倒防止具１０を完成させる。この完成させた転倒防止具１０を家具���００の上面１０２と天井面１２４との間の空隙に収納する。【００３９】  この転倒防止具１０が家具１００の上面１０２と天井面１２４との間の空隙に収納された状態で、地震等の揺れが発生すると、家具１００の上面１０２に転倒防止具１０の本体部１２の一方面１４が面し、天井面１２４に転倒防止具１０の覆い部２２の他方面２６が面することで、家具１００の上面１０２と天井面１２４とが面で支えられ、地震による家具１００の揺動が制限され、家具１００が転倒防止されることになる。【００４０】  なお、距離Ａと距離Ｂとは全く同一にする必要はなく、例えば覆い部２２の他方面２６と天井面１２４との間に若干の隙間があっても問題ない。これは、家具１００が地震等で揺動することで、上面１０２に載置されている転倒防止具１０の覆い部２２の他方面２６が天井面１２４へ当接することで家具１００の揺動が抑えられるためである。【００４１】  また、このような構成を有する転倒防止具１０は、従来の転倒防止具と同様の転倒防止の効果を有すると共に、非常に構造が簡単であるために、安価に製造でき、かつ組み立ても容易である。【００４２】  ＜第２の実施例＞
次に、図５を用いて、本発明の転倒防止具の第２の実施例を説明する。なお、上述した第１の実施例と構成が同じ箇所については、同一の符号を付し、適宜説明を省略する。【００４３】  図５は、本発明の転倒防止具の第２の実施例の構成を示す斜視図である。この第２の実施例においては、本体部１２の一方面１４と覆い部２２の他方面２６との間を所定距離離間させるための位置決め部１７が本体部１２の側面１５の外側に設けられている。【００４４】  この位置決め部１７は、本体部１２の４面の側面１５の外側に各々取り付けられた４個の外部位置決め板部１８で構成された、段ボール等を材質とする板状部材であり、本体部１２の側面１５の外側に取り付けられた状態で、覆い部２２の開口面２４の開口端面２４ａが外部位置決め板部１８の上側端面１９に当接される。【００４５】  この外部位置決め板部１８の本体部１２の側面１５の外側への取り付けは、例えば両面接着テープや接着剤で貼り付けることで行われる。なお、外部位置決め板部１８や本体部１２の側面１５の外側に取り付け部を設けても良い。【００４６】  また、外部位置決め板部１８の本体部１２の側面１５の外側への取り付け位置は、本体部１２の一方面１４と外部位置決め板部１８の上側端面１９との間の距離と、覆い部２２の開口面２４と他方面２６との間の距離との和が、家具１００の上面１０２と天井面１２４との間の空隙の距離と概略同じとなる位置に取り付けられる。【００４７】  以上のような構成を有する第２の実施例の転倒防止具１０も、第１の実施例と同様に、各種什器の転倒防止の効果を有すると共に、非常に構造が簡単であるために、安価に製造でき、かつ組み立ても容易となっている。
【符号の説明】
【００４８】  １０・・転倒防止具、１２・・本体部、１４・・一方面、１５・・側面、１６・・他方面、１７・・位置決め部、１８・・外部位置決め板部、１９・・上側端面、２２・・覆い部、２４・・開口面、２４ａ・・開口端面、２５・・側面、２５ａ・・折り曲げ部、２６・・他方面、２７・・位置決め部、２８・・内部位置決め板部、２８ａ・・補助板部、２９・・下側端面、１００・・家具、１０２・・上面、１２０・・壁面、１２２・・床面、１２４・・天井面
【図１】
2013085936.tif 000003
【図２】
2013085936.tif 000004
【図３】
2013085936.tif 000005
【図４】
2013085936.tif 000006
【図５】
2013085936.tif 000007